(57)【要約】【課題】ヒートポンプの特性を生かす温水循環暖房システムを提供する。【解決手段】温水循環暖房システムは、温水を溜めるタンク４０と、建物内に配置され温水の持つ熱を建物内空気に放熱させるラジエータと、ラジエータ用循環ポンプと、給湯用タンク内熱交換器４１と、給湯補助専用タンク外熱交換器４３と、ヒートポンプ１０とを備える。タンク内に配置される給湯用タンク内熱交換器４１は、給水源からの水とタンク４０内の温水との間で熱交換をさせ、加熱水を建物の給湯配管に供給する。タンク４０外の給湯補助専用タンク外熱交換器４３は、加熱水に対してさらに熱を供給する。ヒートポンプ１０は、タンク４０内の温水に熱を供給するとともに、給湯補助専用タンク外熱交換器４３を介して給湯配管への加熱水に対して熱を供給する。【選択図】図１
2008082664.tif 000002
【特許請求の範囲】
【請求項１】
建物において温水を循環させて暖房を行う温水循環暖房システムであって、
温水を溜めるタンク（４０）と、
前記建物内に配置され、温水の持つ熱を前記建物内の空気に放熱させる、ラジエータ（６１ａ，６２ａ，６９ｃ）と、
前記タンクから前記ラジエータへと温水を流し、前記ラジエータで放熱を行った温水を再び前記タンクへと戻す、ラジエータ用循環ポンプ（５１）と、
前記タンク内に配置され、給水源から取り入れた水と前記タンク内の温水との間で熱交換をさせ、前記水を加熱して建物の給湯配管に供給する、給湯用第１熱交換器（４１）と、
前記タンク外に配置され、前記給湯配管に供給する前記水に対して熱を供給する、給湯用第２熱交換器（４３）と、
前記タンク内の温水に熱を供給するとともに、前記給湯用第２熱交換器（４３）を介して前記給湯配管に供給する前記水に対して熱を供給する、蒸気圧縮式のヒートポンプ（１０）と、
を備えた温水循環暖房システム。
【請求項２】
前記給湯用第１熱交換器による前記水の加熱の能力が不足する場合に、前記給湯用第２熱交換器（４３）を介して前記給湯配管に供給する前記水に対して前記ヒートポンプから熱を供給させる、制御部（２９）
をさらに備えた請求項１に記載の温水循環暖房システム。
【請求項３】
前記タンクから前記ヒートポンプへと温水を流し、前記ヒートポンプから再び前記タンクへと温水を戻す、温水加熱用循環ポンプ（２５）と、
前記ヒートポンプから前記給湯用第２熱交換器へと熱を運ぶ流体を、前記ヒートポンプと前記給湯用第２熱交換器との間で循環させる、給湯補助用循環ポンプ（４６）と、
をさらに備え、
前記制御部は、前記給湯用第１熱交換器による前記水の加熱の能力が不足する場合に、前記給湯補助用循環ポンプを作動させる、
請求項２に記載の温水循環暖房システム。
【請求項４】
前記ヒートポンプは、二酸化炭素を冷媒とする、
請求項１から３のいずれかに記載の温水循環暖房システム。
【請求項５】
前記ヒートポンプは、冷媒として、フロン系冷媒を用いる、
請求項１から３のいずれかに記載の温水循環暖房システム。
【請求項６】
前記ヒートポンプは、冷媒として、フロン系冷媒であってＧＷＰが２００以下の冷媒を用いる、
請求項１から３のいずれかに記載の温水循環暖房システム。
【請求項７】
前記ヒートポンプは、冷媒として、自然系冷媒であるＨＣ系冷媒を用いる、
請求項１から３のいずれかに記載の温水循環暖房システム。
【発明の詳細な説明】
【技術分野】
【０００１】
本発明は、温水循環暖房システム、特に、建物において温水を循環させて暖房を行う温水循環暖房システムに関する。
【背景技術】
【０００２】
従来から、ボイラーや電気ヒータにより温水を生成し、その温水を建物内の各室に設けられたラジエータに循環させて建物の暖房を行う温水循環暖房システムが、ヨーロッパ等の寒冷地を中心に普及している。例えば、特許文献１に開示されている空調システムでは、冷温水を供給する冷温水供給手段が住宅の屋外や地下に設置され、各室に設けられている熱交換器や床暖房装置に温水が供給され、室内の暖房を行うことができるようになっている。
【特許文献１】特開平１０−２６６３５１号公報
【発明の開示】
【発明が解決しようとする課題】
【０００３】
建物において温水を循環させて暖房を行う温水循環暖房システムで、温水を生成するための熱源としてヒートポンプを採用することを検討するとき、ボイラーや電気ヒータなどと較べたときのヒートポンプのメリットである熱効率の高さを生かすべきであるが、これまで実際にヒートポンプを温水循環暖房システムの熱源として採用したものはない。そして、本願の発明者は、従来のボイラーなどを熱源とする温水循環暖房システムにおいて、単にボイラーをヒートポンプに置き換えただけでは、熱効率に秀でるヒートポンプの特性を十分に生かすことができないだろうと認識している。
【０００４】
本発明の課題は、熱効率に秀でるヒートポンプの特性を十分に生かすことができる温水循環暖房システム等を提供することにある。
【課題を解決するための手段】
【０００５】
第１発明に係る温水循環暖房システムは、建物において温水を循環させて暖房を行うシステムであって、温水を溜めるタンクと、ラジエータと、ラジエータ用循環ポンプと、給湯用第１熱交換器と、給湯用第２熱交換器と、蒸気圧縮式のヒートポンプとを備えている。ラジエータは、建物内に配置され、温水の持つ熱を建物内の空気に放熱させる。ラジエータ用循環ポンプは、タンクからラジエータへと温水を流し、ラジエータで放熱を行った温水を再びタンクへと戻す。タンク内に配置される給湯用第１熱交換器は、給水源から取り入れた水とタンク内の温水との間で熱交換をさせ、水を加熱して建物の給湯配管に供給する。タンク外に配置される給湯用第２熱交換器は、給湯配管に供給する水に対して熱を供給する。ヒートポンプは、タンク内の温水に熱を供給するとともに、給湯用第２熱交換器を介して給湯配管に供給する水に対して熱を供給する。なお、タンクに溜めて循環ポンプによりラジエータとの間で循環させる温水は、液体であればよく、水（Ｈ2Ｏ）でなくてもよい。
【０００６】
ここでは、ヒートポンプの作動によってタンク内の温水が加熱される。これにより、タンクには、例えば７０℃といった高温の温水が溜められる。この高温の温水を循環ポンプの作動によって建物内にあるラジエータに送ると、温水の熱が建物内の空気に移動し、居室などが暖房される。そして、温度が下がった温水が、再びタンクに戻ることになる。この温度が下がった温水は、ヒートポンプの作動で再び高温にされる。一方、タンク内には給湯用第１熱交換器が配備され、給水源から取り入れられた水が、給湯用第１熱交換器を通るときにタンク内の温水から熱を奪い、加熱水となって建物の給湯配管に流れていく。この給湯配管に流れた加熱水は、シャワーや浴槽などに供給されることになる。
【０００７】
ところで、ヒートポンプの特性として、一般に、加熱対象の温度変化範囲が広いほどヒートポンプの熱効率が向上することが挙げられる。例えば、タンクの温水について、４０℃の温水を７０℃まで加熱する場合のヒートポンプの熱効率よりも、１０℃の温水を７０℃まで加熱する場合のヒートポンプの熱効率のほうが、かなり大きくなる（図８および図９参照）。
【０００８】
これに鑑み、この温水循環暖房システムでは、建物内のラジエータに送って暖房を行うためにタンクに溜めている温水の熱を奪って、その熱を給湯に利用している。具体的には、タンク内に給湯用第１熱交換器を設置し、水道などの給水源からの水が給湯用第１熱交換器を通るときにタンク内の温水の熱を奪うように構成している。これにより、タンク内の温水の温度が下がるため、その温度から例えば７０℃まで温水を加熱するヒートポンプは、非常に高い熱効率で温水の加熱を行うことができるようになる。これにより、省エネルギー化を図ることができる。さらに、従来、ガスなどを燃焼させて給湯を行っていたとすると、ここでは、ガス給湯機が不要になるとともにガス使用量も低減され、その分の給湯に係る仕事を熱効率の高いヒートポンプで受け持つことになるため、さらなる省エネルギー化が達成できる。
【０００９】
また、ここでは、給湯配管に供給する水を、給湯用第２熱交換器を介してヒートポンプで加熱することができるようになっている。このため、タンク内の温水の温度が低くて、給湯用第１熱交換器だけでは十分に給湯に適した温度まで水を加熱できない場合においても、給湯温度が要求温度を下回ったり給湯ができない空白の時間帯が生じたりする不具合を抑制することができる。さらに、ヒートポンプが、タンク内の温水に熱を供給する機能と、給湯用第２熱交換器を介して給湯配管に供給する水に対して熱を供給する機能とを兼ね備えているので、給湯用第２熱交換器の代わりにブースターヒータなどを使用する場合に較べて、ランニングコストなどを抑えることができる。
【００１０】
第２発明に係る温水循環暖房システムは、第１発明の温水循環暖房システムであって、制御部をさらに備えている。制御部は、給湯用第１熱交換器による水の加熱の能力が不足する場合に、給湯用第２熱交換器を介して給湯配管に供給する水に対してヒートポンプから熱を供給させる。
【００１１】
第３発明に係る温水循環暖房システムは、第２発明の温水循環暖房システムであって、温水加熱用循環ポンプと、給湯補助用循環ポンプとをさらに備えている。温水加熱用循環ポンプは、タンクからヒートポンプへと温水を流し、ヒートポンプから再びタンクへと温水を戻す。給湯補助用循環ポンプは、ヒートポンプから給湯用第２熱交換器へと熱を運ぶ流体を、ヒートポンプと給湯用第２熱交換器との間で循環させる。そして、制御部は、給湯用第１熱交換器による水の加熱の能力が不足する場合に、給湯補助用循環ポンプを作動させる。
【００１２】
第２，第３発明では、必要なときのみ、給湯用第２熱交換器を使って加熱不足になっている水にヒートポンプから熱を供給するように制御を行っているため、無駄な熱供給を回避することができる。
【００１３】
第４発明に係る温水循環暖房システムは、第１〜第３発明のいずれかの温水循環暖房システムであって、ヒートポンプは、二酸化炭素を冷媒とする。
【００１４】
これまで、ヒートポンプ内の冷凍サイクルにおいて熱エネルギーを運ぶ媒体（冷媒）としてフルオロカーボンが広く使われているが、今後は、二酸化炭素を冷媒として採用する傾向が出てきている。しかし、一般に、フルオロカーボンを冷媒とする場合に較べて、二酸化炭素を冷媒とする場合には、加熱対象の加熱前の温度が比較的高くなってくると、熱効率の落ち込みが激しくなる。ここでは、外気条件や加熱後の温水の温度によっても差が出るが、例えば加熱前の温水の温度が５０℃ぐらいの場合、ハイドロクロロフルオロカーボンの１つであるＲ４１０Ａと呼ばれる冷媒に較べ、二酸化炭素を冷媒として使うときには、熱効率（ＣＯＰ）が半分近くに落ち込んでしまうこともある。したがって、第１〜第４発明は、二酸化炭素を冷媒とするヒートポンプを採用する温水循環暖房システムにおいて、特に有用となる。
【００１５】
第５発明に係る温水循環暖房システムは、第１〜第３発明のいずれかの温水循環暖房システムであって、ヒートポンプは、冷媒として、フロン系冷媒を用いる。フロン系冷媒は、例えば、ＨＦＣ系冷媒であるＲ４１０Ａと称される冷媒、Ｒ４０７Ｃと称される冷媒、Ｒ３２と称される冷媒などである。
【００１６】
第６発明に係る温水循環暖房システムは、第１〜第３発明のいずれかの温水循環暖房システムであって、ヒートポンプは、冷媒として、フロン系冷媒であってＧＷＰが２００以下の冷媒を用いる。ＧＷＰは、地球温暖化係数（Global Warming Potential）であり、二酸化炭素を基準にした値で温室効果ガスが１００年間に及ぼす温暖化の効果を示すものである。
【００１７】
第７発明に係る温水循環暖房システムは、第１〜第３発明のいずれかの温水循環暖房システムであって、ヒートポンプは、冷媒として、自然系冷媒であるＨＣ系冷媒を用いる。自然系冷媒であるＨＣ系冷媒は、例えば、プロパンやブタンである。
【発明の効果】
【００１８】
第１発明によれば、タンク内の温水の温度が下がってヒートポンプの熱効率が上がり、省エネルギー化を図ることができるとともに、タンク内の温水の温度が低くて給湯用第１熱交換器だけでは十分に給湯に適した温度まで水を加熱できない場合においても、給湯温度が要求温度を下回ったり給湯ができない空白の時間帯が生じたりする不具合を抑制することができる。また、給湯用第２熱交換器の代わりにブースターヒータなどを使用する場合に較べて、コストを抑えることができる。
【００１９】
第２，第３発明によれば、無駄な熱供給を回避することができる。
【発明を実施するための最良の形態】
【００２０】
＜温水循環暖房システムの主要構成＞
本発明の一実施形態に係る温水循環暖房システムの構成を、図１〜図３に示す。温水循環暖房システムは、建物において温水を循環させて暖房を行うとともに給湯機能を持つシステムであって、温水を溜めるタンク４０と、居室内ラジエータ６１ａ，６２ａと、トイレ内放熱器６９ｂ，６９ｃ，６９ｅと、屋内暖房用循環ポンプ５１と、温水を加熱するための蒸気圧縮式のヒートポンプ１０と、温水加熱用循環ポンプ２５と、給湯用タンク内熱交換器４１と、給湯補助専用タンク外熱交換器４３と、加熱水散布装置７５と、コントロールユニット２０とを備えている。
【００２１】
居室内ラジエータ６１ａ，６２ａは、建物の居室６１，６２に配置され、温水の持つ熱を居室６１，６２の室内空気に放熱させる。
【００２２】
トイレ内放熱器６９ｂ，６９ｃ，６９ｅは、建物のトイレ６９に配置され、温水の持つ熱をトイレ６９内で放熱させる。
【００２３】
屋内暖房用循環ポンプ５１は、タンク４０から居室内ラジエータ６１ａ，６２ａおよびトイレ内放熱器６９ｂ，６９ｃ，６９ｅへと温水を流し、居室内ラジエータ６１ａ，６２ａおよびトイレ内放熱器６９ｂ，６９ｃ，６９ｅで放熱を行った温水を再びタンク４０へと戻す。タンク４０を出た温水は、居室内ラジエータ６１ａ，６２ａを流れた後、トイレ内放熱器６９ｂ，６９ｃ，６９ｅを流れて、タンク４０へと戻る。
【００２４】
ヒートポンプ１０は、圧縮機１１、放熱器１２、膨張弁１３および蒸発器１４を有し、蒸発器１４により外気から熱を奪い、放熱器１２から放出する熱によってタンク４０から流れてくる温水を加熱する。
【００２５】
温水加熱用循環ポンプ２５は、タンク４０からヒートポンプ１０の放熱器１２へと温水を流し、ヒートポンプ１０の放熱器１２から再びタンク４０へと温水を戻す。
【００２６】
給湯用タンク内熱交換器４１は、タンク４０内に配置され、給水源から取り入れた水とタンク４０内の温水との間で熱交換をさせ、水を加熱して建物の給湯配管７２に供給する。給湯用タンク内熱交換器４１で加熱され給湯配管７２に供給される水を、以下、加熱水と称する。なお、給水源から取り入れられ給湯配管７２に供給される水と、タンク４０内の温水とは、互いに混ざり合うことはない。
【００２７】
給湯補助専用タンク外熱交換器４３は、タンク４０外に配置される給湯補助ユニット４５に内蔵されるもので、給湯用タンク内熱交換器４１で加熱され給湯配管７２に供給される加熱水を、必要に応じてさらに加熱する。この給湯補助専用タンク外熱交換器４３は、給湯用タンク内熱交換器４１を出た加熱水と、給湯補助用循環ポンプ４６により循環路３３を循環させられる熱媒体（水などの、熱を移動させるための流体）との間で熱交換をさせ、加熱水に対してさらに熱を加えることができる。循環路３３を流れる熱媒体は、ヒートポンプ１０の放熱器１２から熱を奪い、給湯補助用循環ポンプ４６により給湯補助専用タンク外熱交換器４３まで熱を運ぶ。給湯補助用循環ポンプ４６は、後述する総合コントローラ２９の指令に基づいて作動し、ヒートポンプ１０の放熱器１２と給湯補助専用タンク外熱交換器４３との間で熱媒体を循環させる。
【００２８】
加熱水散布装置７５は、給湯用タンク内熱交換器４１から給湯配管７２に供給される加熱水を、ヒートポンプ１０の蒸発器１４の外表面に散布する装置である。
【００２９】
なお、タンク４０に溜められ、屋内暖房用循環ポンプ５１や温水加熱用循環ポンプ２５により閉じたループを循環する温水は、ここでは普通の水を用いているが、液体であればよく、必ずしも水（Ｈ2Ｏ）でなくてもよい。屋内暖房用循環ポンプ５１や温水加熱用循環ポンプ２５の動力を低減でき、循環ルートとなる配管５２，３１などのサイズを水（Ｈ2Ｏ）よりも小さくすることができる液体があれば、その液体を用いることが望ましい。循環路３３を循環させられる熱媒体についても、同様に、必ずしも水（Ｈ2Ｏ）でなくてもよい。
【００３０】
＜温水循環暖房システムの概略動作＞
温水循環暖房システムでは、温水加熱用循環ポンプ２５の作動によりタンク４０からヒートポンプ１０の放熱器１２に流れてくる温水を、ヒートポンプ１０の作動により放熱器１２から放出される熱を使って加熱する。これにより、ヒートポンプ１０からタンク４０へは、約７０℃の高温の温水が戻される。一方、タンク４０内の温水は、屋内暖房用循環ポンプ５１の作動により、居室６１，６２にある居室内ラジエータ６１ａ，６２ａやトイレ６９にあるトイレ内放熱器６９ｂ，６９ｃ，６９ｅに送られる。温水の熱は、居室６１，６２の室内空気やトイレ内放熱器６９ｂ，６９ｃ，６９ｅの周囲に移動し、居室６１，６２が暖房され、トイレ６９においてもトイレタンク６９ａ内の洗浄水や便座６９ｄなどが暖められる。そして、約１０℃〜２０℃に温度が下がった温水が、再びタンク４０に戻されてくる。この温度が下がった温水は、ヒートポンプ１０の作動によって再び高温にされる。
【００３１】
このように、ここでは、配管３１で接続されるタンク４０とヒートポンプ１０とを循環する第１のループと、配管５２で接続されるタンク４０と居室内ラジエータ６１ａ，６２ａやトイレ内放熱器６９ｂ，６９ｃ，６９ｅとを循環する第２のループとが形成されており、それぞれのループを温水が循環する。これにより、ヒートポンプ１０の作動によって屋外から集めた熱や圧縮機１１の作動により生じた熱が、タンク４０に溜められた温水を介して、最終的には居室６１，６２の室内空気やトイレ６９の各部に移動することになる。
【００３２】
また、タンク４０内には給湯用タンク内熱交換器４１が配備されており、給水源から取り入れられた水が、給湯用タンク内熱交換器４１を通るときにタンク４０内の温水から熱を奪って加熱水となり、建物の給湯配管７２に流れていく。この給湯配管７２に流れた加熱水は、シャワー７３や浴槽７４などで使用されることになる。さらに、給湯配管７２に流れた加熱水の一部は、加熱水散布装置７５により、ヒートポンプ１０の蒸発器１４の外表面に散布される。この散布は、ヒートポンプ１０の蒸発器１４に霜がつく所定条件のときに、定期的に行われる。
【００３３】
＜タンク４０の詳細構成＞
タンク４０は、屋内に設置されている。タンク４０には、複数の異なる高さ位置において温水の温度を計測する目的で、複数の温度センサ（サーミスタ）４０ａ〜４０ｅが設けられている。タンク４０内の温水は、自然と、上部が高温、下部が低温となる。ヒートポンプ１０で加熱された高温の温水は、図１に示すように、タンク４０の高さ方向の中央付近に戻される。ヒートポンプ１０へは、タンク４０の下部から低温の温水が向かうことになる。一方、居室６１，６２にある居室内ラジエータ６１ａ，６２ａなどへは、タンク４０の上部や中央部から温水が向かうことになり、トイレ内放熱器６９ｂ，６９ｃ，６９ｅから戻ってくる低温の温水は、タンク４０の下部や中央部に戻される。
【００３４】
また、タンク４０には、上述の給湯用タンク内熱交換器４１のほかに、ヒートポンプ１０の加熱能力が足りない場合に使用するブースターヒータ４２が配備されている。このブースターヒータ４２は、電気ヒータであり、後述する総合コントローラ２９がタンク４０内の温水の温度を上げる必要があり且つヒートポンプ１０の加熱能力だけでは所望の温水の温度上昇が見込めないと判断したときに作動して、タンク４０内の温水をヒートポンプ１０とともに加熱する。
【００３５】
＜ヒートポンプ１０の詳細構成＞
ヒートポンプ１０は、屋外に設置されており、冷媒配管１５により接続され冷凍サイクルを構成する圧縮機１１、放熱器１２、膨張弁（電動膨張弁）１３および蒸発器１４と、蒸発器１４に外気を当てるためのファン１７と、ヒートポンプ制御ユニット１９とを備えている。冷凍サイクル内を流れる冷媒として、ヒートポンプ１０では、二酸化炭素（以下、ＣＯ２冷媒と称する）を採用している。このため、ヒートポンプ１０では、ＣＯ２冷媒が放熱器１２において超臨界状態となる。冷凍サイクルにおいて、ＣＯ２冷媒は、圧縮機１１で臨界圧力を超える圧力まで圧縮され（図９のＡ点からＢ点への移行を参照）、放熱器１２で冷却されて段々と温度が下がり超臨界状態から液体状態に移行し（図９のＢ点からＣ点への移行を参照）、膨張弁１３で減圧され（図９のＣ点からＤ点への移行を参照）、蒸発器１４で蒸発して気体となって再び圧縮機１１に吸入される（図９のＤ点からＡ点への移行を参照）。
【００３６】
放熱器１２は、タンク４０から延びる配管３１に接続される第１伝熱管と、給湯補助専用タンク外熱交換器４３から延びる循環路３３に接続される第２伝熱管と、冷媒配管１５と接続されＣＯ２冷媒が流れる第３伝熱管とから構成されており、第１，第２伝熱管が第３伝熱管の外周面に螺旋状に巻き付けられる、あるいは、第３伝熱管が第１，第２伝熱管の外周面に螺旋状に巻き付けられる。これにより、放熱器１２では、圧縮されて高圧高温となっている臨界状態のＣＯ２冷媒と、タンク４０から流れてきた低温の温水や循環路３３を流れる熱媒体との間で熱交換が行われ、ＣＯ２冷媒から温水や熱媒体へと熱が移動し、温水や熱媒体が加熱される。
【００３７】
＜暖房のためのラジエータ等の屋内放熱器の詳細構成＞
居室内ラジエータ６１ａ，６２ａは、図２に示すように、建物の居室６１，６２に配置され、タンク４０から流れてきた温水の持つ熱を居室６１，６２の室内空気に放熱させる役割を果たす。ここでは、２つの居室内ラジエータ６１ａ，６２ａを例示しているが、数量を限定する趣旨ではない。また、居室内ラジエータ６１ａ，６２ａの形態も、窓際に配置されるものであってもよいし、床下に埋め込まれるものであってもよい。さらに、居室内ラジエータ６１ａ，６２ａは、ここでは直列に配置しているが、並列に配置してもよい。
【００３８】
トイレ内放熱器６９ｂ，６９ｃ，６９ｅは、トイレタンク内放熱部６９ｂと、便座内放熱部６９ｅと、トイレ内ラジエータ６９ｃとから成り、トイレ６９の各部において温水の熱を取り込む。トイレタンク内放熱部６９ｂは、トイレ６９において洗浄水を溜めるトイレタンク６９ａの内部に設けられており、温水の持つ熱をトイレタンク６９ａ内の洗浄水に放熱させる。便座内放熱部６９ｅは、トイレ６９の便座６９ｄの内部に設けられており、温水の持つ熱を便座６９ｄに放熱させる。トイレ内ラジエータ６９ｃは、温水の持つ熱をトイレ６９の中の空気に放熱させる。
【００３９】
また、タンク４０、居室内ラジエータ６１ａ，６２ａおよびトイレ内放熱器６９ｂ，６９ｃ，６９ｅを結んでループを形成させる配管５２には、暖房温水往き温度センサ５２ａ、暖房温水戻り温度センサ５２ｂ、温水流量調整弁５３，５４，５５が設けられている。
【００４０】
＜給湯機能に関する詳細構成＞
（通常給湯に関する構成）
タンク４０の中に配備されている給湯用タンク内熱交換器４１は、伝熱管として銅管あるいはステンレス管を使用する水熱交換器であって、図３に示すように、給水源（水道）から延びる給水配管７１と、シャワー７３や浴槽７４に湯を供給するための給湯配管７２とが接続されている。給水配管７１は、常温の水を、給湯用タンク内熱交換器４１の下端に入れる。給水配管７１より給湯用タンク内熱交換器４１に入った常温水は、上に移動しながらタンク４０内の温水から熱を奪い、加熱された高温の加熱水となって給湯配管７２へと排出される。給水配管７１には給水配管温度センサ７１ａが、給湯配管７２には給湯配管温度センサ７２ａが、それぞれ設けられている。例えば、給水配管温度センサ７１ａは５℃という水道水の温度を検出し、給湯配管温度センサ７２ａは４５℃という加熱水の温度を検出する。また、給湯配管７２には、電磁弁である給湯用バルブ（開閉操作弁）７２ｂが設置されている。
【００４１】
タンク４０の外に配備されている給湯補助ユニット４５内の給湯補助専用タンク外熱交換器４３は、上述のように、ヒートポンプ１０の放熱器１２から熱を奪った循環路３３を流れる熱媒体と、給湯用タンク内熱交換器４１を出た加熱水との間で熱交換を行わせるものであり、循環路３３の熱媒体から、給湯用タンク内熱交換器４１から給湯配管７２へと流れる加熱水に、熱を移動させる。これにより、給湯用タンク内熱交換器４１を出た加熱水は、さらに加熱されることになる。
【００４２】
なお、図示を省略しているが、シャワー７３や浴槽７４に供給される加熱水は、混合弁により水道水と混ぜられ、温度調整されてシャワー７３や浴槽７４に送られる。
【００４３】
（デフロストのための給湯利用構成）
上述の加熱水散布装置７５は、給湯用タンク内熱交換器４１で加熱されて給湯配管７２に供給された加熱水を、屋外のヒートポンプ１０の蒸発器１４のほうへ導き、蒸発器１４の表面に散布する。この加熱水散布装置７５は、給湯配管７２から分岐して屋外に延びる散布用配管７６と、散布用配管７６の途中に設けられるデフロスト用バルブ（開閉操作弁）７７と、散布用配管７６の先端部分に設けられ蒸発器１４に向けて加熱水を散布するデフロスト用ノズル７８とから構成されている。後述するが、加熱水散布装置７５は、蒸発器１４の霜取りが必要なときに、加熱水の一部を、所定周期で蒸発器１４に向けて散布する。デフロスト用バルブ７７は、上述の給湯用バルブ７２ｂと同じく電磁弁であり、総合コントローラ２９の指令に基づいて蒸発器１４への散水が必要なときに開けられる。
【００４４】
＜コントロールユニット２０の詳細構成＞
総合コントローラ２９は、図１および図４に示すように、ヒートポンプ１０に付随する機器およびタンク４０に付随する機器を、外部から入力される信号に基づいて制御する。総合コントローラ２９は、三方弁２１，２２や温水加熱用循環ポンプ２５、給湯補助用循環ポンプ４６とともにケーシングの中に収められ、１つのコントロールユニット２０を形成している（図１参照）。
【００４５】
三方弁２１，２２は、タンク４０の高さ方向のどの部分から温水を引き出して居室内ラジエータ６１ａ，６２ａなどへ送り出すかや、トイレ内放熱器６９ｂ，６９ｃ，６９ｅから戻ってくる低温の温水をタンク４０の高さ方向のどの部分へ戻すかを調整するために設けられている。これらの三方弁２１，２２は、総合コントローラ２９からの指示によって作動する。
【００４６】
総合コントローラ２９は、三方弁２１，２２のほか、ブースターヒータ４２、ヒートポンプ制御ユニット１９、屋内暖房用循環ポンプ５１、温水加熱用循環ポンプ２５、給湯補助用循環ポンプ４６、温水流量調整弁５３〜５５、デフロスト用バルブ７７、などを制御する。また、総合コントローラ２９は、暖房温水往き温度センサ５２ａ、暖房温水戻り温度センサ５２ｂ、タンク４０の温度センサ４０ａ〜４０ｅ、給水配管温度センサ７１ａ、給湯配管温度センサ７２ａなどから計測結果の信号を受けるとともに、居室６１，６２などに配備されたリモコン／サーモスタット９１から室内温度や室内設定温度の情報などを受ける。
【００４７】
＜給湯制御＞
この温水循環暖房システムでは、給湯機能を兼ね備えさせ、給湯のために給水源から取り入れた水を加熱する熱交換器として、給湯用タンク内熱交換器４１と給湯補助専用タンク外熱交換器４３との２つを配備している。後者の給湯補助専用タンク外熱交換器４３は、常時使用するものではなく、給湯配管７２に設けられている給湯配管温度センサ７２ａが検知する給湯温度が要求温度に満たない場合にのみ使用される。
【００４８】
図５に、給湯制御の概略の制御フローを示す。タンク４０内の給湯用タンク内熱交換器４１で加熱された加熱水は、給湯配管７２に流れ、その水温が給湯配管温度センサ７２ａにより検知される（ステップＳ１）。ステップＳ２では、給湯配管温度センサ７２ａの検知温度（出湯温度）が要求温度以上であるか否かが判断される。要求温度以上であれば、給湯用タンク内熱交換器４１で加熱された加熱水が、そのまま出湯されることになる。一方、給湯配管温度センサ７２ａの検知温度が要求温度未満である場合には、ステップＳ４に移行し、総合コントローラ２９からの指令により給湯補助用循環ポンプ４６が作動を始める。これにより、循環路３３を流れる熱媒体が、ヒートポンプ１０の放熱器１２から給湯補助専用タンク外熱交換器４３へと熱を運び、その熱により、給湯用タンク内熱交換器４１で加熱された加熱水がさらに加熱され、要求温度以上の出湯温度が確保されるようになる（ステップＳ５，Ｓ６）。
【００４９】
＜躯体蓄熱を利用した省エネ制御について＞
この温水循環暖房システムは、煉瓦や石といった蓄熱性の高い材料で外壁などが構成されている住宅等の建物に設置する場合に備え、総合コントローラ２９に、躯体蓄熱利用省エネルギー制御（以下、躯体蓄熱利用省エネ制御と称す）を持たせている。この躯体蓄熱利用省エネ制御を使う場合には、極めて高いレベルの省エネルギー運転を行わせることができる。
【００５０】
図６および図７に、躯体蓄熱利用省エネ制御の簡略化した制御フローを示す。ここでは、この制御フローに基づいて、躯体蓄熱利用省エネ制御について説明を行う。
【００５１】
ステップＳ１１では、まず、暖房温水戻り温度センサ５２ｂの計測値である暖房温水戻り温度Ｔｉｎが第１設定温度Ｔ１よりも大きいかについて判定する。第１設定温度Ｔ１は、水道水の温度などを基準に決めることが考えられるが、例えば、２０℃にセットされる。ステップＳ１１で「Ｎｏ」という判定をした場合には、ステップＳ１２以降に進まない。これは、十分に温度が低下した温水がタンク４０に戻っており、ヒートポンプ１０の熱効率を高く保つことができると判断されるからである。ステップＳ１１で「Ｙｅｓ」という判定をした場合には、ステップＳ１２に進む。
【００５２】
ステップＳ１２では、リモコン／サーモスタット９１から受信した室内温度Ｔｒｍが第２設定温度Ｔ２よりも大きいかについて判定する。第２設定温度Ｔ２は、例えば、リモコン／サーモスタット９１から受信しているユーザーによる室内設定温度より少し高い温度にセットされる。ステップＳ１２で「Ｎｏ」という判定をした場合には、ステップＳ１３以降に進まず、ステップＳ１１に戻る。これは、室内温度がユーザーの設定温度を下回っているような場合にヒートポンプ１０の能力を落とすと、さらに室内温度が下がってしまうためである。ステップＳ１２で「Ｙｅｓ」という判定をした場合には、ステップＳ１３に進む。
【００５３】
ステップＳ１３では、ヒートポンプ１０の圧縮機１１がインバータ圧縮機であるか定速圧縮機であるかを判定する。インバータ圧縮機の場合には、ステップＳ１４に進み、インバータの周波数を設定可能な最小の周波数にセットする。一方、定速圧縮機の場合には、ステップＳ１５に進み、圧縮機１１の運転を停止する。さらに、ステップＳ１４，Ｓ１５に続き、ステップＳ１６において、温水流量調整弁５３の開度を小さくして、タンク４０と居室内ラジエータ６１ａ，６２ａやトイレ内放熱器６９ｂ，６９ｃ，６９ｅとの間を循環する暖房のための温水の量を、ゼロ、あるいはゼロに近づける。このように循環量を絞ることにより、圧縮機１１が消費するエネルギー量が小さくなる。しかし、タンク４０から居室内ラジエータ６１ａ，６２ａへと送り出される温水の量も少なくなるため、タンク４０内の温水の温度はそれほど低下しない。また、蓄熱性の高い建物であれば、躯体も含めて建物内が一度暖まってしまえば、ヒートポンプ１０の能力を落としても、しばらくは暖かさが保たれる。
【００５４】
ステップＳ１６の後、ステップＳ１７に移行する。ステップＳ１７では、室内温度Ｔｒｍが第３設定温度Ｔ３を下回っていないかについて判定する。第３設定温度Ｔ３は、第２設定温度Ｔ２よりも低い温度であり、通常は、リモコン／サーモスタット９１から受信しているユーザーによる室内設定温度より少し低い温度にセットされる。ステップＳ１６で「Ｎｏ」という判定をした場合には、次のステップＳ１８に進まない。これは、ヒートポンプ１０の能力を上げなくても、躯体に蓄積されている熱によって建物内の暖かさを保つことができるからである。
【００５５】
ステップＳ１７で「Ｙｅｓ」という判定をした場合には、ステップＳ１８でタイマーをスタートさせて、ステップＳ１９に進む。ステップＳ１９では、室内温度Ｔｒｍが第３設定温度よりも大きくなっているかについて判定する。ステップＳ１９で「Ｙｅｓ」と判定した場合には、ステップＳ１７に戻る。ステップＳ１９で「Ｎｏ」と判定した場合には、ステップＳ２０に進み、タイマースタート後に一定時間が経過したかについて判定する。ステップＳ２０で「Ｎｏ」と判定した場合には、ステップＳ１９に戻る。ステップＳ１７の後、再び室内温度Ｔｒｍが第３設定温度Ｔ３よりも大きくなっていれば、ヒートポンプ１０の能力を上げる必要がなく、室内温度Ｔｒｍが一定時間継続して第３設定温度Ｔ３よりも小さい場合にだけヒートポンプ１０の能力を上げるようにすることが望まれるため、これらのステップＳ１８〜Ｓ２０の処理が行われている。
【００５６】
室内温度Ｔｒｍが第３設定温度Ｔ３よりも小さい状態が一定時間継続している場合には、ステップＳ２０で「Ｙｅｓ」と判定され、ステップＳ２１に進む。ステップＳ２１では、ステップＳ１４あるいはステップＳ１５とステップＳ１６とで行った処理をキャンセルする。すなわち、ステップＳ２１では、圧縮機１１が定速圧縮機の場合には圧縮機１１の運転を再開させ、圧縮機１１がインバータ圧縮機の場合には、圧縮機１１の周波数を通常の制御に従わせるようにし、設定可能な最小の周波数にセットしていたステップＳ１４の処理を解除する。また、ステップＳ２１では、温水流量調整弁５３の開度を大きくする。これにより、第３設定温度Ｔ３よりも小さくなっていた室内温度Ｔｒｍは、徐々に上昇していくことになる。
【００５７】
＜ヒートポンプ１０のデフロスト運転について＞
上述のように、加熱水散布装置７５は、給湯用タンク内熱交換器４１でタンク４０内の温水の熱を奪って給湯配管７２に供給された加熱水を、屋外のヒートポンプ１０の蒸発器１４のほうへ導き、蒸発器１４の表面に散布する。この散布は、蒸発器１４の霜取りが必要なときに、ヒートポンプ制御ユニット１９と信号の送受信を行う総合コントローラ２９からの指示により、デフロスト用バルブ７７が開閉することで、所定周期で実施される。これにより、蒸発器１４に付いた霜が溶かされ、ヒートポンプ１０の熱効率が向上する。
【００５８】
なお、霜取りが必要なときの考え方については、従来のフルオロカーボンを冷媒として用いる冷凍サイクルにおける考え方と同じである。
【００５９】
＜温水循環暖房システムの特徴＞
（１）
本システムでは、タンク４０の温水を温水加熱用循環ポンプ２５によってヒートポンプ１０へと導き、ヒートポンプ１０で加熱した温水を再びタンク４０へと戻す構成を採り、ヒートポンプ１０を屋外に、タンク４０を屋内に設置している。このため、タンク４０が屋外の冷たい空気に曝されず、タンク４０内の温水の温度低下が抑えられるとともに、ヒートポンプ１０で屋外の空気（外気）から熱を汲み上げることができるようになっている。したがって、本システムでは、効率よく大量の高温度の温水をタンク４０に確保することができている。
【００６０】
（２）
本システムでは、ヒートポンプ１０やタンク４０に付随する各機器（三方弁２１，２２、ブースターヒータ４２、ヒートポンプ制御ユニット１９、圧縮機１１、膨張弁１３、屋内暖房用循環ポンプ５１、温水加熱用循環ポンプ２５、給湯補助用循環ポンプ４６、温水流量調整弁５３〜５５、デフロスト用バルブ７７、など）を、居室６１，６２などに配備されたリモコン／サーモスタット９１から受信する室内温度や室内設定温度の情報、タンク４０の温度センサ４０ａ〜４０ｅからの情報、などに基づいて、総合コントローラ２９が制御している。これにより、ヒートポンプ１０を最適に運転させることができている。
【００６１】
（３）
居室６１，６２等の室内温度が上がってくると、建物の躯体温度も上昇し、温水循環暖房システムの能力を小さくしても居室６１，６２の室内温度を維持することができる状態に移る。
【００６２】
これに鑑み、圧縮機１１が定速圧縮機であるとき、本システムでは、図６および図７の制御フローに示すように、居室内ラジエータ６１ａ，６２ａからタンク４０へと戻ってくる温水の温度Ｔｉｎが第１設定温度Ｔ１よりも高く、且つ、居室６１，６２の室内温度Ｔｒｍが第２設定温度Ｔ２よりも高い場合に、圧縮機１１を止めてヒートポンプ１０の運転を停止させるようにしている。これにより、省エネルギー化を図ることができている。また、ヒートポンプ１０の運転を止め続けていると、躯体の蓄熱があったとしても、だんだんと居室６１，６２の室内温度Ｔｒｍが下がってくるため、室内温度Ｔｒｍが第３設定温度Ｔ３を一定時間継続して下回ったときには、ヒートポンプ１０の圧縮機１１の運転を再開させている。これにより、省エネルギー化を図りつつ、居室６１，６２の室内温度Ｔｒｍが下がりすぎないようにすることができている。
【００６３】
同様に、圧縮機１１がインバータ圧縮機であるとき、本システムでは、図６および図７の制御フローに示すように、居室内ラジエータ６１ａ，６２ａからタンク４０へと戻ってくる温水の温度Ｔｉｎが第１設定温度Ｔ１よりも高く、且つ、居室６１，６２の室内温度Ｔｒｍが第２設定温度Ｔ２よりも高い場合に、圧縮機１１のインバータの周波数を設定可能な最小の周波数にセットしてヒートポンプ１０の能力を落とすようにしている。これにより、省エネルギー化を図ることができている。また、ヒートポンプ１０の能力を低く抑え続けていると、躯体の蓄熱があったとしても、だんだんと居室６１，６２の室内温度Ｔｒｍが下がってくるため、室内温度Ｔｒｍが第３設定温度Ｔ３を一定時間継続して下回ったときには、圧縮機１１のインバータの周波数を通常制御に従う状態に戻している。これにより、省エネルギー化を図りつつ、居室６１，６２の室内温度Ｔｒｍが下がりすぎないようにすることができている。
【００６４】
なお、上記の本システムの特徴は、一度暖まれば冷めにくい躯体蓄熱量の大きな住宅等の建物において、特に有効となる。
【００６５】
（４）
ヒートポンプの特性として、一般に、加熱対象の温度変化範囲が広いほどヒートポンプの熱効率が向上することが挙げられる。これを本システムに当てはめると、例えば、タンク４０の温水について、４０℃の温水を７０℃まで加熱する場合のヒートポンプ１０の熱効率よりも、１０℃の温水を７０℃まで加熱する場合のヒートポンプ１０の熱効率のほうが、かなり大きくなる（図８および図９参照）。
【００６６】
図８に示すように、４０℃の温水を７０℃まで加熱する場合には、圧縮機１１の仕事量に相当するＨ１に対して蒸発器１４によって外気から取り込まれる分に相当するＨ３が比較的小さな値となっているのに較べ、図９に示すように、１０℃の温水を７０℃まで加熱する場合には、圧縮機１１の仕事量に相当するＨ１に対して蒸発器１４によって外気から取り込まれる分に相当するＨ２が比較的大きな値となっている。前者の場合、圧縮機１１に供給する電気エネルギーを生成するときの発電効率まで考慮すると、消費エネルギーの１．０倍未満の熱しか発生しないことになるが、後者の場合、消費エネルギーの１．２〜１．４倍の熱を発生することになる。
【００６７】
このように、ヒートポンプ、特に、ＣＯ２冷媒を採用する本システムのヒートポンプ１０においては、タンク４０から放熱器１２へと流れてくる加熱前の温水の温度を下げることが、熱効率の向上に大きく寄与することになる。
【００６８】
これに鑑み、本システムでは、居室ではないトイレ６９にも放熱器（トイレ内放熱器６９ｂ，６９ｃ，６９ｅ）を配備し、タンク４０を出た温水が居室内ラジエータ６１ａ，６２ａを流れた後に、少なくともいずれかのトイレ内放熱器６９ｂ，６９ｃ，６９ｅを流れるように構成している。これにより、例えば、７０℃で居室内ラジエータ６１ａ，６２ａに入り４０℃で居室内ラジエータ６１ａ，６２ａを出た温水が、トイレ内放熱器６９ｂ，６９ｃ，６９ｅを通ることによって温度を下げ、タンク４０に戻るときに例えば１０℃まで温度が下がった状態になる。すなわち、タンク４０に戻る温水の温度が非常に小さくなり、その温度から例えば７０℃まで温水を加熱するヒートポンプ１０は、非常に高い熱効率で温水の加熱を行うことができるようになっている。
【００６９】
また、本システムでは、従来において暖房システムとは別に設置していたトイレ６９内の電気ヒータなどを省略することができる。そして、その分のトイレ６９内の加熱仕事を電気ヒータよりも熱効率の高いヒートポンプ１０で受け持つことにしているため、さらなる省エネルギー化を達成することができている。
【００７０】
なお、トイレ内放熱器６９ｂ，６９ｃ，６９ｅとして、トイレ内ラジエータ６９ｃだけではなく、洗浄水を溜めるトイレタンク６９ａの内部に設けられるトイレタンク内放熱部６９ｂや、便座６９ｄの内部に設けられる便座内放熱部６９ｅを配備して、温水の温度の低下を促進させる工夫をしているため、必然的にタンク４０に戻る温水の温度が非常に小さくなっている。
【００７１】
（５）
加熱対象の温度変化範囲が広いほど熱効率が向上するというヒートポンプの特性に鑑み、本システムでは、さらに、タンク４０内に給湯用タンク内熱交換器４１を設置するという構成を採っている。これにより、ガス給湯機などの別の給湯機を不要にするとともに、ヒートポンプ１０が高い熱効率を保つようになっている。
【００７２】
すなわち、本システムでは、居室６１，６２の居室内ラジエータ６１ａ，６２ａに送って暖房を行うためにタンク４０に溜めている温水の熱を奪って、その熱を給湯に利用している。具体的には、タンク４０内に給湯用タンク内熱交換器４１を設置し、給水源からの水が給湯用タンク内熱交換器４１を通るときにタンク４０内の温水の熱を奪うように構成している。これにより、タンク４０内の温水の温度が下がり、その温度から例えば７０℃まで温水を加熱するヒートポンプ１０は、非常に高い熱効率で温水の加熱を行うことができるようになっている。
【００７３】
（６）
さらに、本システムでは、タンク４０内の給湯用タンク内熱交換器４１から給湯配管７２に排出（供給）された加熱水の一部を利用して、加熱水散布装置７５によりヒートポンプ１０の蒸発器１４の外表面に加熱水を散布する構成を採用している。加熱水は、少なくとも４０℃以上になるため、蒸発器１４についた霜を溶かすことができる。
【００７４】
このように、タンク４０内の熱を利用して生成された加熱水によって蒸発器１４の霜取りを行うようにしているため、従来のように冷凍サイクルを逆転させて蒸発器１４を放熱器として作用させるデフロスト運転を行ってヒートポンプ１０の熱効率を悪化させたり、別の電気ヒータなどによって蒸発器１４に付いた霜を溶かして電気消費量を上げたりすることがなくなる。このため、本システムでは、さらなる省エネルギー化が達成できている。
【００７５】
なお、蒸発器１４の霜取りが不要なときには、総合コントローラ２９から加熱水散布の指示が出されない。このため、タンク４０内の温水の熱が無駄に消費されてしまうことはない。
【００７６】
（７）
また、本システムでは、給湯用タンク内熱交換器４１から給湯配管７２に供給される加熱水を、給湯補助専用タンク外熱交換器４３を介してさらに加熱することができるようになっている。具体的には、タンク４０内の温水の温度が低いなどの理由により、給湯用タンク内熱交換器４１だけでは十分に給湯に適した温度まで水を加熱できない場合に、給湯補助用循環ポンプ４６を作動させて、給湯用タンク内熱交換器４１で加熱された加熱水にヒートポンプ１０の放熱器１２からの熱を給湯補助専用タンク外熱交換器４３を介して与え、不十分な温度の加熱水をさらに加熱させている。これにより、出湯温度が要求温度を下回ったり給湯ができない空白の時間帯が生じたりする不具合が抑制できる。
【００７７】
加えて、本システムでは、ヒートポンプ１０が、タンク４０内の温水に熱を供給する機能と、給湯補助専用タンク外熱交換器４３を介して給湯配管７２に供給する加熱水に対して熱を供給する機能とを兼ね備えているので、給湯補助専用タンク外熱交換器４３の代わりに専用の電気ヒータなどを使用する場合に較べて、ランニングコストなどを抑えることができる。また、ヒートポンプ１０の熱効率を向上させることもできている。
【００７８】
＜変形例＞
（Ａ）
上記の温水循環暖房システムでは、居室ではないトイレ６９にも放熱器（トイレ内放熱器６９ｂ，６９ｃ，６９ｅ）を配備し、タンク４０を出た温水が居室内ラジエータ６１ａ，６２ａを流れた後に、少なくともいずれかのトイレ内放熱器６９ｂ，６９ｃ，６９ｅを流れるように構成しているが、この構成に代えて以下のような構成を採っても、ヒートポンプ１０を高い熱効率で稼働させることができる。
【００７９】
ここでは、図１０に示すように、タンク４０を出た温水が居室内ラジエータ６１ａ，６２ａを流れた後に、窓枠放熱器６１ｂ，６２ｂを流れ、そこからタンク４０に戻されるように屋内の温水循環経路を形成している。窓枠放熱器６１ｂ，６２ｂは、建物の窓６５，６６の窓枠に形成され、温水の持つ熱を窓６５，６６の近傍の空気（窓６５，６６の屋内側の空気や窓６５，６６の屋外側の空気）に放熱させるものである。窓枠放熱器６１ｂ，６２ｂは、窓枠の内部に収納された配管であってもよいし、ガラス窓の保持と温水の流路とを兼用する窓枠自身であってもよい。温水循環暖房システムの他の構成については、図１，図３および図４に示す上述の構成と同じである。
【００８０】
この温水循環暖房システムにおいても、ヒートポンプ１０の作動によってタンク４０内の温水が加熱され、この温水が屋内暖房用循環ポンプ５１の作動によって居室６１，６２にある居室内ラジエータ６１ａ，６２ａや窓枠放熱器６１ｂ，６２ｂに送られる。すると、温水の熱が居室６１，６２の室内空気や窓枠放熱器６１ｂ，６２ｂの周囲の空気に移動し、居室６１，６２が暖房される。そして、温度が下がった温水は、再びタンク４０に戻る。この温度が下がった温水は、ヒートポンプ１０の作動で再び高温にされる。
【００８１】
そして、建物の窓６５，６６の窓枠に窓枠放熱器６１ｂ，６２ｂを設置し、タンク４０を出た温水が居室内ラジエータ６１ａ，６２ａを流れた後に窓枠放熱器６１ｂ，６２ｂを流れるように構成しているため、例えば、７０℃で居室内ラジエータ６１ａ，６２ａに入り４０℃で居室内ラジエータ６１ａ，６２ａを出た温水が、窓枠放熱器６１ｂ，６２ｂを通ることによってさらに温度を下げ、タンク４０に戻るときには例えば１０℃まで温度が下がった状態になる。すると、タンク４０に戻る温水の温度が非常に小さくなり、その温度から例えば７０℃まで温水を加熱するヒートポンプ１０は、非常に高い熱効率で温水の加熱を行うことができるようになる。
【００８２】
さらに、本システムの場合、従来は窓６５，６６から降りてきていた冷気の温度が、窓枠放熱器６１ｂ，６２ｂから放出される熱によって緩和され、居室６１，６２の中の温度低下が抑えられたり、居室６１，６２の中の各部における温度偏差が抑えられたりするという有用な効果も得られる。
【００８３】
（Ｂ）
上記の温水循環暖房システムでは、ヒートポンプ１０の冷媒としてＣＯ２冷媒を用いているが、本発明は、Ｒ４１０Ａ，Ｒ４０７Ｃ，Ｒ３２などのＨＦＣ系のフロン系冷媒を用いる温水循環暖房システムにおいても、ＧＷＰ（Global Warming Potential）が２００以下のフロン系冷媒を用いる温水循環暖房システムにおいても、プロパンやブタンといったＨＣ系の自然系冷媒を用いる温水循環暖房システムにおいても、有効である。
【００８４】
（Ｃ）
上記の温水循環暖房システムでは、必要なときのみ、給湯補助専用タンク外熱交換器４３を使って加熱不足になっている給湯用タンク内熱交換器４１を出た加熱水にヒートポンプ１０からの熱を供給するように制御を行い、加熱水（給湯配管７２に流すもの）に無駄な熱供給を回避するように努めているが、給湯補助専用タンク外熱交換器４３を常時使用することも考えられる。
【００８５】
例えば、給湯補助用循環ポンプ４６の能力を調整できるように構成し、給湯用タンク内熱交換器４１を出た加熱水に給湯補助専用タンク外熱交換器４３から供給する熱量をコントロールできるようにした場合には、給湯配管温度センサ７２ａの検知温度が常にほぼ一定となるように給湯補助用循環ポンプ４６を調整することができる。
【図面の簡単な説明】
【００８６】
【図１】本発明の一実施形態に係る温水循環暖房システムの構成の一部を示す図。
【図２】温水循環暖房システムの構成の一部を示す図。
【図３】温水循環暖房システムの構成の一部を示す図。
【図４】温水循環暖房システムの制御ブロック図。
【図５】給湯制御のフローを示す図。
【図６】躯体蓄熱利用省エネルギー制御のフローを示す図。
【図７】躯体蓄熱利用省エネルギー制御のフローを示す図。
【図８】暖房に供された温水のタンク４０への戻り温度が高い場合のヒートポンプサイクルを示す図（Ｔ−ｈ線図）。
【図９】暖房に供された温水のタンク４０への戻り温度が低い場合のヒートポンプサイクルを示す図（Ｔ−ｈ線図）。
【図１０】変形例（Ａ）の温水循環暖房システムの構成の一部を示す図。
【符号の説明】
【００８７】
１０    ヒートポンプ
１４    蒸発器
２５    温水加熱用循環ポンプ
２９    総合コントローラ（制御部）
４０    タンク
４１    給湯用タンク内熱交換器（給湯用第１熱交換器）
４３    給湯補助専用タンク外熱交換器（給湯用第２熱交換器）
４６    給湯補助用循環ポンプ
５１    屋内暖房用循環ポンプ（ラジエータ用循環ポンプ）
６１ａ，６２ａ    居室内ラジエータ（ラジエータ）
６９ｃ    トイレ内ラジエータ（ラジエータ）
【図１】
2008082664.tif 000003
【図２】
2008082664.tif 000004
【図３】
2008082664.tif 000005
【図４】
2008082664.tif 000006
【図５】
2008082664.tif 000007
【図６】
2008082664.tif 000008
【図７】
2008082664.tif 000009
【図８】
2008082664.tif 000010
【図９】
2008082664.tif 000011
【図１０】
2008082664.tif 000012